(57)【要約】【課題】複数の解析結果をわかりやすく表示することが可能な解析結果表示支援装置、解析結果表示支援システム、解析結果表示支援方法およびプログラムを提供する。【解決手段】解析部が行った解析の結果を表示部に表示する解析結果表示支援装置は、記憶手段と、表示部の画面内の複数の領域の中から選択された選択領域を示す選択情報と、当該選択領域に表示する解析の結果を特定するための特定情報と、を受け付けると、当該選択情報と当該特定情報とを互いに関連づけて、記憶手段に記憶する設定手段と、特定情報にて特定される解析の結果を、解析部から受け付けると、当該解析の結果を、表示部の画面内の複数の領域のうち、前記特定情報と関連する選択情報にて示された選択領域に表示する制御手段と、を含む。【選択図】図１
2010165292.tif 000002
【特許請求の範囲】
【請求項１】
解析部が行った解析の結果を表示部に表示する解析結果表示支援装置であって、
記憶手段と、
前記表示部の画面内の複数の領域から選択された選択領域を示す選択情報と、当該選択領域に表示する解析の結果を特定するための特定情報と、を受け付けると、当該選択情報と当該特定情報とを互いに関連づけて、前記記憶手段に記憶する設定手段と、
前記特定情報にて特定される解析の結果を、前記解析部から受け付けると、当該解析の結果を、前記表示部の画面内の複数の領域のうち、前記特定情報と関連づけられた選択情報にて示された選択領域に表示する制御手段と、を含む解析結果表示支援装置。
【請求項２】
請求項１に記載の解析結果表示支援装置において、
前記設定手段は、２つの前記選択情報を受け付けた際に一方の選択情報に前記特定情報が関連づけられている場合には、当該特定情報を他方の選択情報に関連づけ、かつ、当該特定情報と前記一方の選択情報との関連づけを解消する、解析結果表示支援装置。
【請求項３】
請求項２に記載の解析結果表示支援装置において、
前記設定手段は、前記２つの選択情報を受け付けた際にさらに前記他方の選択情報にも前記特定情報が関連づけられている場合には、当該特定情報を前記一方の選択情報に関連づけ、かつ、当該特定情報と前記他方の選択情報との関連づけを解消する、解析結果表示支援装置。
【請求項４】
請求項１から３のいずれか１項に記載の解析結果表示支援装置において、
前記設定手段は、さらに、前記解析の結果の表示形態を示す表示形態情報を受け付けると、当該表示形態情報を、前記選択情報および前記特定情報と関連づけて前記記憶手段に記憶し、
前記制御手段は、前記特定情報にて特定される解析の結果を、前記解析部から受け付けると、当該解析の結果を、前記表示部の画面内の複数の領域のうち、前記特定情報と関連づけられた選択情報にて示された選択領域に、前記特定情報と関連づけられた表示形態情報にて示された表示形態で表示する、解析結果表示支援装置。
【請求項５】
請求項１から４のいずれか１項に記載の解析結果表示支援装置において、
前記設定手段は、さらに、現在の日付に対して相対的に特定される解析期間を示す解析期間情報を受け付けると、当該解析期間情報を、前記選択情報および前記特定情報と関連づけて前記記憶手段に記憶し、
前記制御手段は、前記特定情報にて特定される解析の結果を、前記解析部から受け付けると、当該解析の結果のうち、前記特定情報と関連づけられた解析期間情報にて示される解析期間での解析の結果を、前記表示部の画面内の複数の領域のうち、前記特定情報と関連づけられた選択情報にて示された選択領域に表示する、解析結果表示支援装置。
【請求項６】
請求項４に記載の解析結果表示支援装置において、
前記制御手段は、前記選択領域を選択する旨の選択指示を受け付けると、前記表示形態情報のうち、当該選択領域を示す選択情報と関連づけられた関連表示形態情報を変更するための変更画面を、前記表示部に表示し、
前記設定手段は、前記変更画面を通じて、新たな表示形態情報を受け付けると、前記記憶手段内の前記関連表示形態情報を、当該新たな表示形態情報に変更する、解析結果表示支援装置。
【請求項７】
請求項５に記載の解析結果表示支援装置において、
前記制御手段は、前記選択領域を選択する旨の選択指示を受け付けると、前記解析期間情報のうち、当該選択領域を示す選択情報と関連づけられた関連解析期間情報を変更するための変更画面を、前記表示部に表示し、
前記設定手段は、前記変更画面を通じて、新たな解析期間情報を受け付けると、前記記憶手段内の前記関連解析期間情報を、当該新たな解析期間情報に変更する、解析結果表示支援装置。
【請求項８】
請求項４に記載の解析結果表示支援装置において、
前記設定手段は、前記選択情報、前記特定情報、前記表示形態情報、および、現在の日付に対して相対的に特定される解析期間を示す解析期間情報を受け付けるごとに、当該選択情報と当該特定情報と当該表示形態情報と当該解析期間情報とを互いに関連づけて、情報群として、前記記憶手段に記憶していき、
前記制御手段は、前記情報群ごとに、当該情報群内の特定情報にて特定される解析の結果のうち、当該情報群内の解析期間情報にて示される解析期間の解析の結果を、前記表示部の画面内の複数の領域のうち、当該情報群内の選択情報にて示された選択領域に、当該情報群内の表示形態情報にて示された表示形態で、当該情報群に対応づけて表示し、その後、表示変更指示を受け付けると、前記表示された解析の結果のうち、同じ表示形態情報を有する情報群に対応する解析の結果同士、または、同じ特定情報を有する情報群に対応する解析の結果同士、または、前記解析期間情報にて示された解析期間に同じ期間が含まれる情報群に対応する解析の結果同士が、隣同士になるように、各解析の結果の前記表示部での表示位置を変更する、解析結果表示支援装置。
【請求項９】
請求項４または８に記載の解析結果表示支援装置において、
前記設定手段は、前記選択情報、前記特定情報、前記表示形態情報、および、現在の日付に対して相対的に特定される解析期間を示す解析期間情報を受け付けるごとに、当該選択情報と当該特定情報と当該表示形態情報と当該解析期間情報とを互いに関連づけて、情報群として、前記記憶手段に記憶していき、
前記制御手段は、前記情報群ごとに、当該情報群内の特定情報にて特定される解析の結果のうち、当該情報群内の解析期間情報にて示される解析期間の解析の結果を、前記表示部の画面内の複数の領域のうち、当該情報群内の選択情報にて示された選択領域に、当該情報群内の表示形態情報にて示された表示形態で、当該情報群に対応づけて表示し、その後、表示変更指示を受け付けると、前記表示された解析の結果のうち、同じ表示形態情報を有する情報群に対応する解析の結果同士、または、同じ特定情報を有する情報群に対応する解析の結果同士、または、前記解析期間情報にて示された解析期間に同じ期間が含まれる情報群に対応する解析の結果同士を、同色で前記表示部に表示する、解析結果表示支援装置。
【請求項１０】
解析部が行った解析の結果を表示部に表示する解析結果表示支援システムであって、
記憶手段と、
前記表示部の画面内の複数の領域の中から選択された選択領域を示す選択情報と、当該選択領域に表示する解析の結果を特定するための特定情報と、を受け付けると、当該選択情報と当該特定情報とを互いに関連づけて、前記記憶手段に記憶する設定手段と、
前記特定情報にて特定される解析の結果を、前記解析部から受け付けると、当該解析の結果を、前記表示部の画面内の複数の領域のうち、前記特定情報と関連する選択情報にて示された選択領域に表示する制御手段と、を含む解析結果表示支援システム。
【請求項１１】
解析部が行った解析の結果を表示部に表示する解析結果表示支援装置が行う解析結果表示支援方法であって、
前記表示部の画面内の複数の領域から選択された選択領域を示す選択情報と、当該選択領域に表示する解析の結果を特定するための特定情報と、を受け付けると、当該選択情報と当該特定情報とを互いに関連づけて、記憶手段に記憶する設定ステップと、
前記特定情報にて特定される解析の結果を、前記解析部から受け付けると、当該解析の結果を、前記表示部の画面内の複数の領域のうち、前記特定情報と関連づけられた選択情報にて示された選択領域に表示する制御ステップと、を含む解析結果表示支援方法。
【請求項１２】
請求項１１に記載の解析結果表示支援方法において、
前記設定ステップでは、２つの前記選択情報を受け付けた際に一方の選択情報に前記特定情報が関連づけられている場合には、当該特定情報を他方の選択情報に関連づけ、かつ、当該特定情報と前記一方の選択情報との関連づけを解消する、解析結果表示支援方法。
【請求項１３】
解析部が行った解析の結果を表示部に表示するコンピュータに、
前記表示部の画面内の複数の領域から選択された選択領域を示す選択情報と、当該選択領域に表示する解析の結果を特定するための特定情報と、を受け付けると、当該選択情報と当該特定情報とを互いに関連づけて、記憶手段に記憶する設定手順と、
前記特定情報にて特定される解析の結果を、前記解析部から受け付けると、当該解析の結果を、前記表示部の画面内の複数の領域のうち、前記特定情報と関連づけられた選択情報にて示された選択領域に表示する制御手順と、を実行させるためのプログラム。
【請求項１４】
請求項１３に記載のプログラムにおいて、
前記設定手順では、２つの前記選択情報を受け付けた際に一方の選択情報に前記特定情報が関連づけられている場合には、当該特定情報を他方の選択情報に関連づけ、かつ、当該特定情報と前記一方の選択情報との関連づけを解消する、プログラム。
【発明の詳細な説明】
【技術分野】
【０００１】
本発明は、解析結果表示支援装置、解析結果表示支援システム、解析結果表示支援方法およびプログラムに関する。
【背景技術】
【０００２】
特許文献１には、複数の解析結果（分析結果）を一覧表示する分析データ管理装置が記載されている。
【先行技術文献】
【特許文献】
【０００３】
【特許文献１】特開２００６−１５３６２８号公報
【発明の概要】
【発明が解決しようとする課題】
【０００４】
特許文献１には、解析結果の表示位置を設定する旨の記載はない。
【０００５】
このため、特許文献１に記載の分析データ管理装置では、ユーザが理解しやすいように、解析結果の表示位置を設定できないという課題があった。
【０００６】
よって、特許文献１に記載の分析データ管理装置では、例えば、解析結果Ａと解析結果Ｂとを比較しようとする状況で、解析結果Ａと解析結果Ｂとが表示画面上で離れて表示されていると、ユーザは、解析結果Ａと解析結果Ｂとの比較を、容易に行うことはできない。
【０００７】
本発明の目的は、上記課題を解決可能な解析結果表示支援装置、解析結果表示支援システム、解析結果表示支援方法およびプログラムを提供することである。
【課題を解決するための手段】
【０００８】
本発明の解析結果表示支援装置は、解析部が行った解析の結果を表示部に表示する解析結果表示支援装置であって、記憶手段と、前記表示部の画面内の複数の領域から選択された選択領域を示す選択情報と、当該選択領域に表示する解析の結果を特定するための特定情報と、を受け付けると、当該選択情報と当該特定情報とを互いに関連づけて、前記記憶手段に記憶する設定手段と、前記特定情報にて特定される解析の結果を、前記解析部から受け付けると、当該解析の結果を、前記表示部の画面内の複数の領域のうち、前記特定情報と関連づけられた選択情報にて示された選択領域に表示する制御手段と、を含む。
【０００９】
本発明の解析結果表示支援システムは、解析部が行った解析の結果を表示部に表示する解析結果表示支援システムであって、記憶手段と、前記表示部の画面内の複数の領域の中から選択された選択領域を示す選択情報と、当該選択領域に表示する解析の結果を特定するための特定情報と、を受け付けると、当該選択情報と当該特定情報とを互いに関連づけて、前記記憶手段に記憶する設定手段と、前記特定情報にて特定される解析の結果を、前記解析部から受け付けると、当該解析の結果を、前記表示部の画面内の複数の領域のうち、前記特定情報と関連する選択情報にて示された選択領域に表示する制御手段と、を含む。
【００１０】
本発明の解析結果表示支援方法は、解析部が行った解析の結果を表示部に表示する解析結果表示支援装置が行う解析結果表示支援方法であって、前記表示部の画面内の複数の領域から選択された選択領域を示す選択情報と、当該選択領域に表示する解析の結果を特定するための特定情報と、を受け付けると、当該選択情報と当該特定情報とを互いに関連づけて、記憶手段に記憶する設定ステップと、前記特定情報にて特定される解析の結果を、前記解析部から受け付けると、当該解析の結果を、前記表示部の画面内の複数の領域のうち、前記特定情報と関連づけられた選択情報にて示された選択領域に表示する制御ステップと、を含む。
【００１１】
本発明のプログラムは、解析部が行った解析の結果を表示部に表示するコンピュータに、前記表示部の画面内の複数の領域から選択された選択領域を示す選択情報と、当該選択領域に表示する解析の結果を特定するための特定情報と、を受け付けると、当該選択情報と当該特定情報とを互いに関連づけて、記憶手段に記憶する設定手順と、前記特定情報にて特定される解析の結果を、前記解析部から受け付けると、当該解析の結果を、前記表示部の画面内の複数の領域のうち、前記特定情報と関連づけられた選択情報にて示された選択領域に表示する制御手順と、を実行させる。
【発明の効果】
【００１２】
本発明によれば、解析結果の表示位置を設定できる。このため、例えば、複数の解析結果をわかりやすく表示することが可能になる。
【図面の簡単な説明】
【００１３】
【図１】本発明の第１の実施形態の解析結果表示支援装置を示したブロック図である。
【図２】画面３１ａとセル３１ｂの一例を示した説明図である。
【図３】記憶部１４内の情報群１４ａの一例を示した説明図である。
【図４】サマリー画面の一例を示した説明図である。
【図５】詳細画面の一例を示した説明図である。
【図６】本発明の第２実施形態の表示支援装置を示したブロック図である。
【発明を実施するための形態】
【００１４】
以下、本発明の実施形態を図面を参照して説明する。
【００１５】
（第１実施形態）
図１は、本発明の第１実施形態の解析結果表示支援装置（以下、単に「表示支援装置」と称する）を示したブロック図である。
【００１６】
図１において、表示支援装置１は、ネットワーク２を介して、情報処理装置３およびパケット収集サーバ４と通信可能である。
【００１７】
表示支援装置１は、解析部１１と、格納部１２と、認証部１３と、記憶部１４と、設定部１５と、制御部１６と、を含む。解析部１１と認証部１３と設定部１５と制御部１６とは、ＣＰＵ（Central Processing Unit）等の処理部１７に含まれる。格納部１２と記憶部１４とは、コンピュータにて読み取り可能な記録媒体１８に含まれる。
【００１８】
情報処理装置３は、表示部３１と、入力部３２と、制御部３３と、を含む。
【００１９】
パケット収集サーバ４は、閲覧者端末５から解析対象であるＷｅｂサイトを有するＷｅｂサイトサーバ６に送信されたパケット（解析対象であるＷｅｂサイトを閲覧するための閲覧者端末５のＩＰアドレスや閲覧要求ページ等が含まれるパケット：以下「解析対象パケット」と称する）を収集する。
【００２０】
例えば、パケット収集サーバ４は、ネットワーク機器７を用いて、以下のように、解析対象パケットを収集する。
【００２１】
ネットワーク機器７は、複数の閲覧者端末５から送信された解析対象パケットを、インターネット等のネットワーク８を介して受信すると、解析対象パケットを、Ｗｅｂサイトサーバ６に送信すると共に、解析対象パケットの複製を、パケット収集サーバ４に提供する。
【００２２】
パケット収集サーバ４は、収集された解析対象パケットを、（パケットに日時がない場合は、収集された日時を付加して）ネットワーク２を介して、表示支援装置１内の解析部１１に提供する。
【００２３】
なお、解析部１１が、解析対象パケットの要求を、ネットワーク２を介して、パケット収集サーバ４に提供する状況では、パケット収集サーバ４は、解析部１１から解析対象パケットの要求を受け付けると、収集された解析対象パケットを、ネットワーク２を介して、解析部１１に提供してもよい。
【００２４】
また、ネットワーク２とネットワーク８は、別々のネットワークでもよいし、同一のネットワークでもよい。
【００２５】
解析部１１は、解析対象パケットを解析する。例えば、解析部１１は、取得した複数のパケットからＩＰアドレスや閲覧ページ、時間等を抽出して、閲覧ページ数、平均閲覧時間、訪問者ドメイン等を解析する。表示支援装置１は、解析部１１の解析結果を、情報処理装置３内の表示部３１に表示する。情報処理装置３は、例えば、解析依頼者にて使用される。
【００２６】
格納部１２は、認証ＤＢ（データベース）を格納している。認証ＤＢ（データベース）は、表示支援装置１を使用することが許可されている解析依頼者を認証するための認証情報を有する。
【００２７】
認証部１３は、認証ＤＢを用いて、情報処理装置３、さらに言えば、情報処理装置３の使用者（解析依頼者）を認証する。
【００２８】
認証部１３は、情報処理装置３が表示支援装置１に接続すると、ユーザＩＤやパスワード等の認証情報の入力を促すログイン画面を表すログイン画面情報を、情報処理装置３に提供する。
【００２９】
情報処理装置３では、制御部３３は、ログイン画面情報を受け付けると、ログイン画面情報に応じたログイン画面を、表示部３１に表示する。
【００３０】
解析依頼者が、情報処理装置３内の入力部３２を操作して、ログイン画面に対して、ユーザＩＤやパスワード等の認証情報を入力し、ログイン画面に設けられているログインボタンを押下すると、情報処理装置３内の制御部３３は、入力された認証情報を、表示支援装置１に提供する。
【００３１】
認証部１３は、情報処理装置３から、ログイン画面を通じて入力された認証情報を受け付けると、情報処理装置３からの認証情報を、格納部１２内の認証情報と照合する。
【００３２】
情報処理装置３からの認証情報が、格納部１２内にある場合、認証部１３は、制御部１６に、情報処理装置３（さらに言えば、情報処理装置３の使用者である解析依頼者）を認証した旨の確認情報を提供する。
【００３３】
記憶部１４は、一般的に記憶手段と呼ぶことができる。
【００３４】
設定部１５は、一般的に設定手段と呼ぶことができる。
【００３５】
設定部１５は、情報処理装置３内の表示部３１の画面内に、複数の領域を設定する。
【００３６】
本実施形態では、設定部１５は、表示部３１の画面内に、マトリクス状に縦横に配置された９個の領域（以下「セル」と称する）を設定する。
【００３７】
図２は、表示部３１の画面３１ａとセル３１ｂの一例を示した説明図である。
【００３８】
なお、セル３１ｂの形状、個数および配列は、図２に示したものに限らず適宜変更可能である。また、セル３１ｂの設定は、予め定められていてもよいし、ユーザによって設定されてもよい。
【００３９】
制御部１６は、認証部１３から確認情報を受け付けると、サービス画面を表すサービス画面情報を、情報処理装置３に提供する。
【００４０】
サービス画面は、図２に示したような９個のセルからなるサマリー画面と、詳細画面と、で構成される。制御部１６は、サマリー画面と詳細画面とを択一的に表示部３１に表示する。
【００４１】
設定部１５は、情報処理装置３から、サマリー画面を通じて、表示部３１の画面内の複数のセルの中から選択された選択セル（選択領域）を示す選択情報と、その選択セルに表示する解析の結果を特定するための特定情報と、を受け付けると、それら選択情報および特定情報を互いに関連づけて、記憶部１４に記憶する。
【００４２】
設定部１５は、情報処理装置３からサマリー画面を通じて２つの選択情報を受け付けた際に一方の選択情報に特定情報が関連づけられている場合には、その特定情報を他方の選択情報に関連づけ、かつ、その特定情報と一方の選択情報との関連づけを解消する。
【００４３】
設定部１５は、情報処理装置３からサマリー画面を通じて２つの選択情報を受け付けた際に他方の選択情報に特定情報が関連づけられている場合には、その特定情報を一方の選択情報に関連づけ、かつ、その特定情報と前記他方の選択情報との関連づけを解消する。
【００４４】
なお、設定部１５は、情報処理装置３から、サマリー画面を通じて、さらに、解析の結果の表示形態を示す表示形態情報を受け付けると、選択情報と特定情報と表示形態情報とを互いに関連づけて、記憶部１４に記憶する。
【００４５】
また、設定部１５は、情報処理装置３から、サマリー画面を通じて、さらに、現在の日付に対して相対的に特定される解析期間を示す解析期間情報を受け付けると、選択情報と特定情報と解析期間情報とを互いに関連づけて、記憶部１４に記憶する。
【００４６】
また、設定部１５は、情報処理装置３から、サマリー画面を通じて、選択情報、特定情報、表示形態情報、および、解析期間情報を受け付けるごとに、それら選択情報と特定情報と表示形態情報と解析期間情報とを互いに関連づけて、情報群として、記憶部１４に記憶していく。
【００４７】
設定部１５は、認証情報内のユーザＩＤごとに、各情報群を関連づけて記憶部１４に記憶していく。
【００４８】
図３は、記憶部１４内の情報群１４ａの一例を示した説明図である。
【００４９】
本実施形態では、図３に示すように、選択情報としてセルの位置（行．列）１４ｂが用いられ、特定情報として解析の種類１４ｃが用いられ、表示形態情報としてグラフの種類１４ｄが用いられ、解析期間情報として解析期間１４ｅが用いられている。
【００５０】
なお、解析部１１は、記憶部１４内の解析の種類１４ｃおよび解析期間１４ｅに基づいて、解析対象パケットを解析する。解析部１１は、解析パケットの解析結果を、情報群ごとに、制御部１６に提供する。
【００５１】
制御部１６は、一般的に制御手段と呼ぶことができる。
【００５２】
制御部１６は、解析部１１から、記憶部１４内の解析の種類１４ｃにて特定される解析の結果を受け付けると、その解析の結果を、情報処理装置３内の表示部３１の画面内の複数のセルのうち、その解析の種類１４ｃと関連するセルの位置（行．列）１４ｂにて示されたセル（以下「対応セル」と称する）に表示する。
【００５３】
なお、制御部１６は、解析部１１から、記憶部１４内の解析の種類１４ｃにて特定される解析の結果を受け付けると、その解析の結果を、対応セルに、その解析の種類１４ｃと関連するグラフの種類１４ｄにて示された表示形態（グラフ）で表示する。
【００５４】
また、制御部１６は、解析部１１から、記憶部１４内の解析の種類１４ｃにて特定される解析の結果を受け付けると、その解析の結果のうち、その解析の種類１４ｃと関連する解析期間１４ｅにて示される解析期間の解析の結果を、対応セルに表示する。
【００５５】
また、制御部１６は、情報処理装置３から、対応セルを選択する旨の選択指示を受け付けると、その対応セルを示すセルの位置１４ｂと関連するグラフの種類（関連表示形態情報）１４ｄおよび解析期間（関連解析期間情報）１４ｅを変更するための変更画面（具体的には、詳細画面）を表す詳細画面情報を、情報処理装置３に提供して、表示部３１に詳細画面を表示する。
【００５６】
なお、設定部１５は、情報処理装置３から、詳細画面を通じて、新たなグラフの種類（新たな表示形態情報）を受け付けると、記憶部１４内の関連表示形態情報を、その新たなグラフの種類（新たな表示形態情報）に変更する。
【００５７】
また、設定部１５は、情報処理装置３から、詳細画面を通じて、新たな解析期間（解析期間情報）を受け付けると、記憶部１４内の関連解析期間情報を、その新たな解析期間（新たな解析期間情報）に変更する。
【００５８】
次に、動作を説明する。
【００５９】
解析依頼者が、情報処理装置３内の入力部３２を操作して、表示支援装置１のＵＲＬ（Uniform Resource Locator）を情報処理装置３に入力すると、情報処理装置３内の制御部３３は、表示支援装置１のＵＲＬを用いて、表示支援装置１に接続する。
【００６０】
情報処理装置３が表示支援装置１に接続すると、表示支援装置１内の認証部１３は、ログイン画面情報を情報処理装置３に提供する。
【００６１】
情報処理装置３内の制御部３３は、ログイン画面情報を受け付けると、そのログイン画面情報に応じたログイン画面を、表示部３１に表示する。
【００６２】
解析依頼者が、情報処理装置３内の入力部３２を操作して、ログイン画面に対して、ユーザＩＤやパスワード等の認証情報を入力し、ログイン画面に設けられているログインボタンを押下すると、情報処理装置３内の制御部３３は、入力された認証情報を、表示支援装置１に提供する。
【００６３】
表示支援装置１内の認証部１３は、情報処理装置３から、ログイン画面を通じて入力された認証情報を受け付けると、受け付けられた認証情報を、格納部１２内の認証情報と照合する。
【００６４】
受け付けられた認証情報が、格納部１２内にある場合、認証部１３は、制御部１６に、情報処理装置３（情報処理装置３の使用者である解析依頼者）を認証した旨の確認情報を提供する。
【００６５】
制御部１６は、認証部１３から確認情報を受け付けると、サービス画面を表すサービス画面情報を、情報処理装置３に提供して、情報処理装置３内の表示部３１にサービス画面を表示し、情報処理装置３に対するサービスを開始する。
【００６６】
なお、制御部１６は、認証部１３から確認情報を受け付けた場合、サービス画面情報として、サマリー画面を表すサマリー画面情報を、情報処理装置３に提供して、表示部３１にサマリー画面を表示する。
【００６７】
図４は、サマリー画面の一例を示した説明図である。
【００６８】
図４において、サマリー画面１００Ａには、９個のセル１００Ｂと、追加ボタン１００Ｃと、詳細画面表示ボタン１００Ｄとが、配置されている。
【００６９】
サマリー画面１００Ａ内の各セル１００Ｂは、初期状態では空であり、セル１００Ｂごとに、表示される解析の結果を追加することができる。以下、表示される解析の結果の設定を、解析設定と称する。
【００７０】
次に、解析設定の追加について、以下に説明する。
【００７１】
解析依頼者が、情報処理装置３内の入力部３２を操作して、サマリー画面１００Ａ内の複数のセル１００Ｂの中から、空のセル（なお、既に解析設定が行われたセルでもよい）を選択して、サマリー画面１００Ａ内の追加ボタン１００Ｃを選択すると、情報処理装置３内の制御部３３は、選択されたセルを示すセルの位置１４ｂと、追加情報とを、表示支援装置１に提供する。
【００７２】
表示支援装置１内の設定部１５は、セルの位置１４ｂと追加情報とを受け付けると、解析の種類（閲覧ページ数、平均閲覧時間、訪問者ドメイン等）１４ｃを選択するための一覧画面を表す一覧画面情報を、情報処理装置３に提供する。
【００７３】
情報処理装置３内の制御部３３は、一覧画面情報を受け付けると、一覧画面情報に応じた一覧画面を表示部３１に表示する。
【００７４】
解析依頼者が、情報処理装置３内の入力部３２を操作して、一覧画面から、解析の種類１４ｃを選択すると、情報処理装置３内の制御部３３は、選択された解析の種類１４ｃを、表示支援装置１に提供する。
【００７５】
表示支援装置１内の設定部１５は、解析の種類１４ｃを受け付けると、グラフの種類１４ｄを選択するためのグラフ種類選択画面を表すグラフ種類選択画面情報と、解析期間１４ｅを入力するための解析期間入力画面を表す解析期間入力画面情報と、を情報処理装置３に提供する。
【００７６】
情報処理装置３内の制御部３３は、グラフ種類選択画面情報と、解析期間入力画面情報と、を受け付けると、グラフ種類選択画面情報に応じたグラフ種類選択画面と、解析期間入力画面情報に応じた解析期間入力画面と、を表示部３１に表示する。
【００７７】
ここで、解析の種類に対して選択できるグラフの種類は、解析の種類ごとに、予め設定・記憶されており（例えば、記憶部１４に設定・記憶されている）、グラフ種類選択画面では、選択された解析の種類に対して選択できるグラフの種類が表示される。
【００７８】
また、解析期間入力画面では、固定期間での日付による設定（例えば、１月５日〜１月２５日）と、現在の日付に対して相対的に特定される相対期間による設定（例えば、ログイン当週（月曜〜現在）、直近３か月（２か月前の１日〜現在）など）が入力できる。
【００７９】
解析依頼者が、情報処理装置３内の入力部３２を操作して、グラフ種類選択画面から、グラフの種類１４ｄを選択し、解析期間入力画面に解析期間１４ｅを入力すると、情報処理装置３内の制御部３３は、選択されたグラフの種類１４ｄと、入力された解析期間１４ｅと、を表示支援装置１に提供する。
【００８０】
表示支援装置１内の設定部１５は、グラフの種類１４ｄと、解析期間１４ｅと、を受け付けると、情報処理装置３から受け付けた情報、具体的には、セルの位置１４ｂ、解析の種類１４ｃ、グラフの種類１４ｄ、および、解析期間１４ｅを互いに関連づけて、解析設定データ（情報群とも称する）として、ユーザＩＤごとに、記憶部１４に記憶する。
【００８１】
表示支援装置１内の解析部１１が、追加された解析設定データ（具体的には、解析の種類１４ｃおよび解析期間１４ｅ）に基づいて、解析対象パケットの解析を終了すると、解析パケットの解析結果を、制御部１６に提供する。
【００８２】
制御部１６は、解析部１１から、追加された解析の種類１４ｃにて特定される解析の結果を受け付けると、その解析の結果のうち、その解析の種類１４ｃと関連する解析期間１４ｅにて示される解析期間の解析の結果を、対応セルに、その解析の種類１４ｃと関連するグラフの種類１４ｄにて示された表示形態（グラフ）で表示する。
【００８３】
以降、情報処理装置３によりログインされるたびに、解析部１１は、記憶部１４に記憶されたログインしたユーザのユーザＩＤに関連する解析設定データに基づき、解析の更新を行い、その解析の結果を、制御部１６に提供する。
【００８４】
制御部１６は、解析部１１から、記憶部１４内の解析の種類１４ｃにて特定される解析の結果を受け付けると、その解析の結果のうち、その解析の種類１４ｃと関連する解析期間１４ｅにて示される解析期間の解析の結果を、対応セルに、その解析の種類１４ｃと関連するグラフの種類１４ｄにて示された表示形態（グラフ）で表示する。
【００８５】
次に、解析の結果を表示するセルの移動、交換について、以下に説明する。
【００８６】
解析依頼者が、情報処理装置３内の入力部３２を操作して、サマリー画面から、表示位置を移動したい解析の結果を表示しているセル（以下「移動元セル」と称する）を選択し、続いて、移動先のセル（以下「移動先セル」と称する）を指定すると、情報処理装置３内の制御部３３は、移動元セルを示すセルの位置１４ｂと、移動先を示すセルの位置１４ｂと、を表示支援装置１に提供する。
【００８７】
表示支援装置１内の設定部１５は、移動元セルを示すセルの位置１４ｂと、移動先を示すセルの位置１４ｂと、を受け付けると、記憶部１４において、移動元セルを示すセルの位置１４ｂに関連づけられている情報（具体的には、解析の種類１４ｃ、グラフの種類１４ｄ、および、解析期間１４ｅ）を、移動先セルを示すセルの位置１４ｂに関連づけ、移動元セルを示すセルの位置１４ｂとの関連づけを解消する。
【００８８】
もし、移動先セルを示すセルの位置１４ｂに、別の情報（具体的には、解析の種類１４ｃ、グラフの種類１４ｄ、および、解析期間１４ｅ）が関連づけられている場合、設定部１５は、記憶部１４において、その別の情報を、移動元セルを示すセルの位置１４ｂに関連づけ、移動先セルを示すセルの位置１４ｂとの関連づけを解消する。
【００８９】
制御部１６は、関連づけが更新された解析設定データに基づき、情報処理装置３内の表示部３１に表示されるサマリー画面を更新する。
【００９０】
このようにすることで、例えば、比較したい解析結果同士を隣同士に配置でき、わかりやすい表示を行うことが可能になる。
【００９１】
次に、サマリー画面から切り替えることができる詳細画面を説明する。
【００９２】
解析依頼者が、情報処理装置３内の入力部３２を操作して、サマリー画面内のセルを選択し、詳細画面表示ボタン１００Ｄを選択すると、情報処理装置３内の制御部３３は、選択されたセルを示すセルの位置１４ｂと、詳細画面表示情報と、を表示支援装置１に提供する。
【００９３】
表示支援装置１内の制御部１６は、セルの位置１４ｂと、詳細画面表示情報と、を受け付けると、セルの位置１４ｂに表示されている解析の結果を詳細に示した詳細画面を表す詳細画面情報を、情報処理装置３に提供する。
【００９４】
情報処理装置３内の制御部３３は、詳細画面情報を受け付けると、詳細画面情報に応じた詳細画面を、表示部３１に表示する。
【００９５】
図５は、詳細画面の一例を示した説明図である。
【００９６】
図５において、詳細画面１０１Ａには、表示単位変更ボタン１０１Ｂと、数値データ表示ボタン１０１Ｃと、サマリー画面表示ボタン１０１Ｄと、グラフ種類変更ボタン１０１Ｅと、解析期間変更ボタン１Ｆと、グラフ表示部１００Ｇとが、配置されている。
【００９７】
表示単位変更ボタン１０１Ｂは、例えば、月、週、日、時等に分かれており、解析依頼者が、情報処理装置３内の入力部３２を操作して、表示単位変更ボタン１０１Ｂのいずれかを選択すると、情報処理装置３内の制御部３３は、選択されたボタンを表す情報を、表示支援装置１に提供する。
【００９８】
表示支援装置１内の制御部１６は、選択されたボタンを表す情報を受け付けると、解析の結果を示すグラフの表示単位を、選択されたボタンに応じた期間に合わせて変更し、変更された解析の結果（グラフ）をグラフ表示部１００Ｇ内に有する詳細画面の詳細画面情報を、情報処理装置３に提供する。
【００９９】
情報処理装置３内の制御部３３は、その詳細画面情報を受け付けると、その詳細画面情報に応じた詳細画面（具体的には、表示単位が変更されたグラフを示す詳細画面）を、表示部３１に表示する。
【０１００】
解析依頼者が、情報処理装置３内の入力部３２を操作して、数値データ表示ボタン１０１Ｃを選択すると、情報処理装置３内の制御部３３は、数値データ表示情報を、表示支援装置１に提供する。
【０１０１】
表示支援装置１内の制御部１６は、数値データ表示情報を受け付けると、解析の結果をグラフ化する前の数値データを表形式でグラフ表示部１００Ｇ内に表示した詳細画面の詳細画面情報を、情報処理装置３に提供する。解析の結果をグラフ化する前の数値データは、解析部１１から制御部１６に提供され、制御部１６によって、記憶部１４に、解析結果データ１４ｆとして記憶されている。
【０１０２】
情報処理装置３内の制御部３３は、その詳細画面情報を受け付けると、その詳細画面情報に応じた詳細画面（具体的には、解析の結果をグラフ化する前の数値データを表形式でグラフ表示部１００Ｇ内に表示した詳細画面）を、表示部３１に表示する。
【０１０３】
解析依頼者が、情報処理装置３内の入力部３２を操作して、グラフ種類変更ボタン１０１Ｅを選択すると、情報処理装置３内の制御部３３は、グラフ種類変更情報を、表示支援装置１に提供する。
【０１０４】
表示支援装置１内の制御部１６は、グラフ種類変更情報を受け付けると、グラフの種類１４ｄを選択するためのグラフ種類選択画面を表すグラフ種類選択画面情報を、情報処理装置３に提供する。
【０１０５】
なお、グラフ種類選択画面では、詳細画面にて表示されている解析の種類に対して選択できるグラフの種類が表示される。
【０１０６】
解析依頼者が、情報処理装置３内の入力部３２を操作して、グラフ種類選択画面から、グラフの種類１４ｄを選択すると、情報処理装置３内の制御部３３は、選択されたグラフの種類１４ｄを、表示支援装置１に提供する。
【０１０７】
表示支援装置１内の設定部１５は、グラフの種類１４ｄを受け付けると、記憶部１４にて、詳細画面にて表示されている解析の種類と関連づけられているグラフの種類（関連表示形態情報）を、受け付けられたグラフの種類（新たな表示形態情報）１４ｄに変更する。
【０１０８】
続いて、制御部１６は、変更された解析設定データに応じた詳細画面を表す詳細画面情報を、情報処理装置３に提供する。
【０１０９】
情報処理装置３内の制御部３３は、その詳細画面情報を受け付けると、その詳細画面情報に応じた詳細画面（具体的には、グラフの形態が変更された詳細画面）を、表示部３１に表示する。
【０１１０】
解析依頼者が、情報処理装置３内の入力部３２を操作して、解析期間変更ボタン１０１Ｆを選択すると、情報処理装置３内の制御部３３は、解析期間変更情報を、表示支援装置１に提供する。
【０１１１】
表示支援装置１内の制御部１６は、解析期間変更情報を受け付けると、解析期間を入力するための解析期間入力画面を表す解析期間入力画面情報を、情報処理装置３に提供する。
【０１１２】
情報処理装置３内の制御部３３は、解析期間入力画面情報を受け付けると、表示部３１に解析期間入力画面を表示する。
【０１１３】
なお、解析期間入力画面では、固定期間での日付による設定（例えば、１月５日〜１月２５日）と、現在の日付に対して相対的に特定される相対期間による設定（例えば、ログイン当週（月曜〜現在）、直近３か月（２か月前の１日〜現在）など）が入力できる。
【０１１４】
解析依頼者が、情報処理装置３内の入力部３２を操作して、解析期間入力画面に解析期間１４ｅを入力すると、情報処理装置３内の制御部３３は、入力された解析期間１４ｅを、表示支援装置１に提供する。
【０１１５】
表示支援装置１内の設定部１５は、解析期間１４ｅを受け付けると、記憶部１４にて、詳細画面にて表示されている解析の種類と関連づけられている解析期間（関連解析期間情報）を、受け付けられた解析期間（新たな解析期間情報）１４ｅに変更する。
【０１１６】
続いて、制御部１６は、変更された解析設定データに応じた詳細画面を表す詳細画面情報を、情報処理装置３に提供する。
【０１１７】
情報処理装置３内の制御部３３は、その詳細画面情報を受け付けると、その詳細画面情報に応じた詳細画面（具体的には、グラフの解析期間が変更された詳細画面）を、表示部３１に表示する。
【０１１８】
本実施形態によれば、設定部１５は、情報処理装置３から、サマリー画面を通じて、セルの位置１４ｂと、そのセルに表示する解析の種類１４ｃと、を受け付けると、それらセルの位置１４ｂと、解析の種類１４ｃと、を互いに関連づけて、記憶部１４に記憶する。
【０１１９】
制御部１６は、解析部１１から、記憶部１４内の解析の種類１４ｃにて特定される解析の結果を受け付けると、その解析の結果を、情報処理装置３内の表示部３１の画面内の複数のセルのうち、その解析の種類１４ｃと関連するセルの位置１４ｂにて示された対応セルに表示する。
【０１２０】
このため、解析依頼者は、解析結果の表示位置を設定できる。このため、例えば、複数の解析結果をわかりやすく表示することが可能になる。
【０１２１】
なお、上記効果は、記憶部１４と設定部１５と制御部１６とからなる表示支援装置１でも奏する。
【０１２２】
また、本実施形態では、設定部１５は、２つのセルの位置１４ｂを受け付けた際に一方のセルの位置１４ｂに解析の種類１４ｃが関連づけられている場合には、その解析の種類１４ｃを他方のセルの位置１４ｂに関連づけ、かつ、その解析の種類１４ｃと一方のセルの位置１４ｂとの関連づけを解消する。
【０１２３】
この場合、解析の結果の表示位置を、容易に変更することが可能になる。
【０１２４】
また、本実施形態では、設定部１５は、２つのセルの位置１４ｂを受け付けた際に、さらに、他方のセルの位置１４ｂにも解析の種類１４ｃが関連づけられている場合には、その解析の種類１４ｃを一方のセルの位置１４ｂに関連づけ、かつ、その解析の種類１４ｃと他方のセルの位置１４ｂとの関連づけを解消する。
【０１２５】
この場合、解析の結果の表示位置を、容易に交換することが可能になる。
【０１２６】
また、本実施形態では、設定部１５は、情報処理装置３から、サマリー画面を通じて、さらに、グラフの種類１４ｄを受け付けると、セルの位置１４ｂに解析の種類１４ｃとグラフの種類１４ｄとを互いに関連づけて、記憶部１４に記憶する。
【０１２７】
制御部１６は、解析部１１から、記憶部１４内の解析の種類１４ｃにて特定される解析の結果を受け付けると、その解析の結果を、対応セルに、その解析の種類１４ｃと関連づけられているグラフの種類１４ｄにて示された表示形態で表示する。
【０１２８】
この場合、解析結果の表示形態も設定することが可能になる。よって、例えば、複数の解析結果を、よりわかりやすく表示することが可能になる。
【０１２９】
また、本実施形態では、設定部１５は、情報処理装置３から、サマリー画面を通じて、さらに、解析期間１４ｅを受け付けると、セルの位置１４ｂに解析の種類１４ｃと解析期間１４ｅとを互いに関連づけて、記憶部１４に記憶する。
【０１３０】
制御部１６は、解析部１１から、記憶部１４内の解析の種類１４ｃにて特定される解析の結果を受け付けると、その解析の結果のうち、その解析の種類１４ｃと関連づけられている解析期間情報にて示される解析期間の解析の結果を、対応セルに表示する。
【０１３１】
この場合、現在の日時に対して相対的に特定される解析期間も設定可能になる。
【０１３２】
また、本実施形態では、制御部１６は、情報処理装置３から、対応セルを選択する旨の選択指示を受け付けると、その対応セルを特定するセルの位置１４ｂと関連するグラフの種類（関連表示形態情報）１４ｄおよび解析期間（関連解析期間情報）１４ｅのいずれかまたは両方を変更するための変更画面（具体的には、詳細画面）を表す詳細画面情報を、情報処理装置３に提供して、表示部３１に詳細画面を表示する。
【０１３３】
設定部１５は、情報処理装置３から、詳細画面を通じて、新たなグラフの種類（新たな表示形態情報）１４ｄを受け付けると、記憶部１４内の関連表示形態情報を、その新たなグラフの種類（新たな表示形態情報）１４ｄに変更する。
【０１３４】
また、設定部１５は、情報処理装置３から、詳細画面を通じて、新たな解析期間（解析期間情報）１４ｅを受け付けると、記憶部１４内の関連解析期間情報を、その新たな解析期間（新たな解析期間情報）１４ｅに変更する。
【０１３５】
この場合、設定済みのグラフの種類１４ｄと、設定済みの解析期間１４ｅと、を変更することが可能になる。
【０１３６】
（第２実施形態）
図６は、本発明の第２実施形態の表示支援装置１Ａを示したブロック図である。図６において、図１に示したものと同一構成のものには同一符号を付してある。
【０１３７】
表示支援装置１Ａが図１に示した表示支援装置１と異なる点は、制御部１６の代わりに、制御部１６Ａを含む点である。
【０１３８】
以下、表示支援装置１と異なる点を中心に、表示支援装置１Ａについて説明する。
【０１３９】
制御部１６Ａは、一般的に制御手段と呼ぶことができる。制御部１６Ａは、制御部１６が有する機能を有する。
【０１４０】
このため、制御部１６Ａは、情報群ごとに、特定情報（解析の種類１４ｃ）にて特定される解析の結果のうち、解析期間情報（解析期間１４ｅ）にて示される解析期間の解析の結果を、表示部３１の画面内の複数の領域のうち、特定情報（解析の種類１４ｃ）と関連づけられている選択情報（セルの位置１４ｂ）にて示された選択領域に、特定情報（解析の種類１４ｃ）と関連づけられている表示形態情報（グラフの種類１４ｄ）にて示された表示形態で、情報群に対応づけて表示する。
【０１４１】
さらに、制御部１６Ａは、その後、表示変更指示を受け付けると、表示された解析の結果のうち、同じ表示形態情報（グラフの種類１４ｄ）を有する情報群に対応する解析の結果同士、または、同じ特定情報（解析の種類１４ｃ）を有する情報群に対応する解析の結果同士、または、解析期間情報（解析期間１４ｅ）にて示された解析期間に同じ期間が含まれる情報群に対応する解析の結果同士が、隣同士になるように、各解析の結果の表示部３１での表示位置を変更する。
【０１４２】
また、サマリー画面には、情報処理装置３内の入力部３２にて選択可能な同種抽出ボタンが備えられている。
【０１４３】
解析依頼者が、情報処理装置３内の入力部３２を操作して、サマリー画面内の同種抽出ボタンを選択すると、情報処理装置３内の制御部３３は、表示変更指示を、表示支援装置１Ａに提供する。
【０１４４】
表示支援装置１Ａ内の制御部１６Ａは、表示変更指示を受け付けると、記憶部１４を参照して、表示された解析の結果のうち、同じ表示形態情報（グラフの種類１４ｄ）を有する情報群に対応する解析の結果同士、または、同じ特定情報（解析の種類１４ｃ）を有する情報群に対応する解析の結果同士、または、解析期間情報（解析期間１４ｅ）にて示された解析期間に同じ期間が含まれる情報群に対応する解析の結果同士を、特定する。
【０１４５】
続いて、制御部１６Ａは、同じ表示形態情報（グラフの種類１４ｄ）を有する情報群に対応する解析の結果同士、または、同じ特定情報（解析の種類１４ｃ）を有する情報群に対応する解析の結果同士、または、解析期間情報（解析期間１４ｅ）にて示された解析期間に同じ期間が含まれる情報群に対応する解析の結果同士が、隣同士のセルに表示されるサマリー画面を表すサマリー画面情報を生成する。
【０１４６】
続いて、制御部１６Ａは、その生成されたサマリー画面情報を、情報処理装置３に提供する。
【０１４７】
情報処理装置３内の制御部３３は、そのサマリー画面情報を受け付けると、そのサマリー画面情報に応じたサマリー画面を、表示部３１に表示する。
【０１４８】
なお、制御部１６Ａは、表示変更指示を受け付けた場合に、さらに、または、表示位置の変更を行わずに、同じ表示形態情報（グラフの種類１４ｄ）を有する情報群に対応する解析の結果同士、または、同じ特定情報（解析の種類１４ｃ）を有する情報群に対応する解析の結果同士、または、解析期間情報（解析期間１４ｅ）にて示された解析期間に同じ期間が含まれる情報群に対応する解析の結果を、同色で表示部３１に表示してもよい。
【０１４９】
この場合、解析設定データにセルの色の項目に対応するセルの色情報がさらに設けられ、制御部１６Ａは、表示変更指示を受け付けると、同じ表示形態情報（グラフの種類１４ｄ）を有する情報群に対応する解析の結果同士、または、同じ特定情報（解析の種類１４ｃ）を有する情報群に対応する解析の結果同士、または、解析期間情報（解析期間１４ｅ）にて示された解析期間に同じ期間が含まれる情報群に対応する解析の結果同士が、同色で表示されるように、セルの色情報を変更し、この色情報応じた色で、解析の結果やセルの枠の色を決定する。
【０１５０】
本実施形態によれば、制御部１６Ａは、表示変更指示を受け付けると、表示された解析の結果のうち、同じ表示形態情報を有する情報群に対応する解析の結果同士、または、同じ特定情報を有する情報群に対応する解析の結果同士、または、解析期間情報にて示された解析期間に同じ期間が含まれる情報群に対応する解析の結果同士が、隣同士になるように、各解析の結果の表示部３１での表示位置を変更する。
【０１５１】
この場合、自動的に、わかりやすい表示を実現することが可能になる。
【０１５２】
また、制御部１６Ａは、表示変更指示を受け付けた場合に、さらに、または、表示位置の変更を行わずに、同じ表示形態情報を有する情報群に対応する解析の結果同士、または、同じ特定情報を有する情報群に対応する解析の結果同士、または、解析期間情報にて示された解析期間に同じ期間が含まれる情報群に対応する解析の結果同士を、同色で表示部３１に表示すれば、自動的に、解析の結果を色分けすることができる。
【０１５３】
例えば、解析の種類が「閲覧ページ数」である解析の結果については「赤」、解析の種類が「平均閲覧時間」である解析の結果については「青」というように、さらにわかりやすい表示を行うことが可能になる。
【０１５４】
なお、上記各実施形態では、表示支援装置１または１Ａ内に解析部１１が含まれているが、解析部１１は、表示支援装置１および１Ａとは別構成のサーバに含まれてもよい。
【０１５５】
また、上記各実施形態では、表示支援装置１または１Ａ内に、記憶部１４と、設定部１５と、制御部１６または１６Ａとが、含まれていたが、記憶部１４と、設定部１５と、制御部１６または１６Ａとは、例えば、互いに別構成のサーバにそれぞれ含まれてもよい。
【０１５６】
この場合、表示支援装置１または１Ａの機能は、記憶部１４と、設定部１５と、制御部１６または１６Ａと、を含む解析結果表示支援システムによって実現される。
【０１５７】
また、上記各実施形態では、パケット収集サーバ４が、解析対象パケットを収集するようにしたが、パケットを収集するのではなく、Ｗｅｂサイトサーバ６に記憶された複数の閲覧者端末５からアクセスされた履歴であるアクセスログ（閲覧者端末５のＩＰアドレスや閲覧ページ、日時等）を取得して、そのアクセスログを、解析対象パケットの代わりに、表示支援装置１内の解析部１１に提供しても構わない。この場合、解析部１１は、アクセスログを、解析対象パケットと同様に解析する。
【０１５８】
また、上記各実施形態では、特定情報を解析の種類と説明したが、特定情報をグラフの種類や解析期間を含めた解析設定データとしてもよい。
【０１５９】
また、記憶部１４と、設定部１５と、制御部１６または１６Ａとは、情報処理装置３に含まれてもよい。
【０１６０】
この場合、例えば、表示支援装置１または１Ａ内の認証部１３が、情報処理装置３（具体的には、情報処理装置３の使用者である解析依頼者）を認証した際に、表示支援装置１または１Ａが、記憶部１４と設定部１５と制御部１６または１６Ａとを実現するためのソフトウェア（プログラム）を、情報処理装置３に提供し、情報処理装置３内のＣＰＵ等がそのソフトウェア（プログラム）を実行して記憶部１４と設定部１５と制御部１６または１６Ａとを実現する。
【０１６１】
また、表示支援装置１または１Ａは、専用のハードウェアにより実現されるもの以外に、記憶部１４と、設定部１５と、制御部１６または１６Ａの機能を実現するためのプログラムを、コンピュータ読み取り可能な記録媒体に記録して、この記録媒体に記録されたプログラムをコンピュータシステムに読み込ませ、実行するものであってもよい。
【０１６２】
コンピュータ読み取り可能な記録媒体とは、フレキシブルディスク、光磁気ディスク、ＣＤ−ＲＯＭ（Compact Disk Read Only Memory）等の記録媒体、コンピュータシステムに内蔵されるハードディスク装置等の記憶装置を指す。
【０１６３】
さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものも含む。
【０１６４】
以上説明した各実施形態において、図示した構成は単なる一例であって、本発明はその構成に限定されるものではない。
【符号の説明】
【０１６５】
１      解析結果表示支援装置
１１    解析部
１２    認証ＤＢ格納部
１３    認証部
１４    記憶部
１５    設定部
１６、１６Ａ  制御部
２、８  ネットワーク
３      情報処理装置
３１    表示部
３２    入力部
３３    制御部
４      パケット収集サーバ
５      閲覧者端末
６      Ｗｅｂサイトサーバ
７      ネットワーク機器
【図１】
2010165292.tif 000003
【図２】
2010165292.tif 000004
【図３】
2010165292.tif 000005
【図４】
2010165292.tif 000006
【図５】
2010165292.tif 000007
【図６】
2010165292.tif 000008